(57)【要約】      （修正有）【課題】看護師が夜間病室等を巡回するのに便利な懐中電灯を提供する。【解決手段】内部に電池が着脱自在に収容されたほぼ扁平な箱型のケース２よりなる本体１と、ケースに回動自在に支承された回転筒８ａと、回転筒内に設けられ、かつ回転筒を回動することにより光の照射方向が可変自在な光源と、光源より照射された光を集光するレンズ１４と、光源をオン、オフするスイッチ手段１０と、ケースの一方の面に設けられ、かつ着衣等に挟着することにより本体を着衣等に固定するクリップ３と、ケースの他方の面に設けられ、かつ本体を壁や備品等に固定する固定手段とから構成したもので、消灯後に看護師が患者の様子を見たり脈や体温等を測定する際に両手が使えるため、作業が短時間で容易に行えると共に、ケースが扁平なことからポケット等に容易に収納できるため、使用しない場合でも邪魔になることがない。【選択図】図１
0003133833.tif 000002
【実用新案登録請求の範囲】
【請求項１】
内部に電池が着脱自在に収容されたほぼ扁平な箱型のケースよりなる本体と、前記ケースに回動自在に支承された回転筒と、前記回転筒内に設けられ、かつ前記回転筒を回動することにより光の照射方向が可変自在な光源と、前記光源より照射された光を集光するレンズと、前記光源をオン、オフするスイッチ手段と、前記ケースの一方の面に設けられ、かつ着衣等に挟着することにより前記本体を着衣等に固定するクリップと、前記ケースの他方の面に設けられ、かつ前記本体を壁や備品等に固定する固定手段とを具備したことを特徴とする懐中電灯。
【請求項２】
前記回転筒をほぼ１８０度回動できるようにしてなる請求項１に記載の懐中電灯。
【請求項３】
前記固定手段を磁石または面状ファスナーにより形成してなる請求項１または２に記載の懐中電灯。
【請求項４】
前記光源を発光ダイオードにより形成してなる請求項１ないし３の何れかに記載の懐中電灯。
【請求項５】
前記ケースに紐状物を取り付けてなる請求項１ないし４の何れかに記載の懐中電灯。
【考案の詳細な説明】
【技術分野】
【０００１】
本考案は、主として看護師が夜間に病室等を巡回する際に使用する懐中電灯に関する。
【背景技術】
【０００２】
従来入院病棟を備えた病院においては、夜間看護師が病室を巡回して患者の様子を見回ったり、病室の患者から呼び出しがあった場合、病室へ様子を見に行くことがよくある。
夜間の病室は定時になると消灯するため、病室へ行く看護師は懐中電灯を携帯することにより、病室内の電灯を点灯せずに患者の様子を見ているが、その際同じ病室に複数の患者が入院している場合、他の患者の睡眠を妨げないようにして様子を見る必要がある。
このため看護師が使用する懐中電灯には、希望する方向へのみ集中的に照明できること、患者の脈や体温等を測定する際に邪魔にならないように、手で持たなくても希望する個所を照明できること、携帯に便利なように小型であること、衣服や壁、机等の備品に固定した状態でも光の方向が簡単に変えられること等の条件が要求される。
【０００３】
一方手を使わずに希望する方向が照明できる懐中電灯として、例えば実用新案登録第３０２１４０９号公報に記載されたものが公知である。
前記公報に記載の「固定機構つき懐中電灯」は、懐中電灯の本体の一端側にクリップ状の固定器具が設けられ、本体のほぼ中間部に磁石が設けられている。
また本体の他端側には蛇腹により照明の方向が変えられる照明具が設けられていて、固定器具又は磁石により本体を台等に固定した状態で、希望する方向が照明できるように構成されている。
【特許文献１】実用新案登録第３０２１４０９号公報
【考案の開示】
【考案が解決しようとする課題】
【０００４】
前記特許文献１に記載の懐中電灯では、手で持たずに希望する方向を照明できる点では、看護師が使用する懐中電灯の条件の一部を満たしている。
しかし病室の患者の近くに固定する机等の備品がない場合、手で持って照明しながら脈や体温等の測定を行わなければならず、作業に制限を受ける問題がある。
またベッドに横になった患者を起き上がらせて様子を見るような場合、照明する位置が絶えず変わると作業がしにくくなるため、懐中電灯を台等に固定して様子をみることになるが、その際固定した懐中電灯の位置を変えて照明方向を調整しなければならないため、作業が煩雑な上、調整作業に時間がかかる等の問題がある。
さらに全体が大型なため、看護師が手で持ったり、ポケット等に入れて携帯するのには不便である等の問題もある。
本考案はかかる従来の問題を改善するためになされたもので、看護師が夜間病室等を巡回するのに便利な懐中電灯を提供することを目的とするものである。
【課題を解決するための手段】
【０００５】
本考案の懐中電灯は、内部に電池が着脱自在に収容されたほぼ扁平な箱型のケースよりなる本体と、ケースに回動自在に支承された回転筒と、回転筒内に設けられ、かつ回転筒を回動することにより光の照射方向が可変自在な光源と、光源より照射された光を集光するレンズと、光源をオン、オフするスイッチ手段と、ケースの一方の面に設けられ、かつ着衣等に挟着することにより本体を着衣等に固定するクリップと、ケースの他方の面に設けられ、かつ本体を壁や備品等に固定する固定手段とから構成したものである。
【０００６】
前記構成により、消灯後に看護師等が患者の様子を見たり脈や体温等を測定する場合は、クリップにより本体をポケットの上縁等に固定し、回転筒を指で回転させて希望する場所を照明することにより両手が使える状態になるため、患者の様子を見たり、脈や体温等の測定、点滴の交換等の作業が短時間で容易に行えると共に、ケースが扁平なことからポケット等に容易に収納することができるため、使用しない場合でも邪魔になることがほとんどない。
また光源より発せられた光は、レンズにより集光されて周囲へ拡散することがないので希望する場所のみ照明することができ、これによって他の患者の睡眠を妨げることもないため、看護師が使用する懐中電灯に最適である。
【０００７】
本考案の懐中電灯は、回転筒をほぼ１８０度回動できるようにしたものである。
【０００８】
前記構成により、本体の固定場所が変わっても、回転筒を回動して照射方向を変えることにより希望する方向を自由に照明することができるため、固定位置に制限を受けることが少ない上、固定手段により本体を壁や備品等に固定することにより、本体が邪魔になったり本体が患者に接触することなく患者を抱き起したり、体の向きを変える等の作業が行えるようになる。
【０００９】
本考案の懐中電灯は、固定手段を磁石または面状ファスナーにより形成したものである。
【００１０】
前記構成により、固定手段が安価に得られる。
【００１１】
本考案の懐中電灯は、光源を発光ダイオードにより形成したものである。
【００１２】
前記構成により、電池の消費が少ないため長時間使用することができる上、電池の交換頻度を少なくできるため経済的である。
【００１３】
本考案の懐中電灯は、ケースに紐状物を取り付けたものである。
【００１４】
前記構成により、紐状物を首に掛けて携帯することにより、誤って本体を落下させる心配がない。
【考案の効果】
【００１５】
本考案の懐中電灯によれば、消灯後に看護師等が患者の様子を見たり脈や体温等を測定する場合は、クリップにより本体をポケットの上縁等に固定し、回転筒を指で回転させて希望する場所を照明することにより両手が使える状態になるため、患者の様子を見たり、脈や体温等の測定、点滴の交換等の作業が短時間で容易に行えると共に、ケースが扁平なことからポケット等に容易に収納することができるため、使用しない場合でも邪魔になることがほとんどない。
【考案を実施するための最良の形態】
【００１６】
本考案の実施の形態を、図面を参照して詳述する。
図１は懐中電灯の正面側の斜視図、図２は同背面側の斜視図、図３は裏蓋を外した状態の斜視図、図４は主要部の一部切欠斜視図である。
本考案の実施の形態になる懐中電灯の本体１は、前後方向に偏平で、かつ縦長な樹脂製のケース２よりなり、前後に分割された状態で成形された半割りケース２を互に重ね合せてビス等の固着具（図示せず）により固着することにより、前後のケース２が一体化されている。
ケース２の前面には、本体１を例えばポケットの上縁等に挟着する際に使用するクリップ３が設けられている。
クリップ３は、図１に示すようにほぼ正方形状の板体により形成されていて、上部に押圧部３ａが、そして下部に挟着部３ｂが形成されており、ケース２の前面と対向する面に突設されたブラケットと、ケース２の前面に突設されたブラケットをピン(何れも図示せず)により互いに枢着することにより、ケース２に対しクリップ３が回動自在となっていると共に、ピンにはクリップ３の挟着部３ｂを狭着方向へ付勢するつる巻きばね等の付勢手段（図示せず）が嵌装されている。
クリップ３の押圧部３ａ表面には、クリップ３の先端を開きやすくするため、滑り止め３ｃが形成され、クリップ３の挟着部３ｂ裏面には、ポケットの上縁等を狭着した際本体１の方向がずれないように滑り止め３ｄが形成されている。
【００１７】
ケース２の背面には、本体１内に形成された電池収容室４の開口部を覆う裏蓋５が着脱自在に取り付けられている。
裏蓋５は、電池収容室４の裏面側開口部と底面側開口部が同時に覆えるようにほぼＬ字形に形成されていて、電池収容室４内に収容された複数の電池６を押え付けると同時に、本体１に衝撃が加わっても電池６が抜け外れないようにケース２に着脱自に嵌合されており、裏蓋５の表面側下部と、ケース２の裏面側上部に固定手段７が設けられている。
これら固定手段７は、例えばフェライト磁石のような永久磁石により形成されていて、吸着面７ａがケース２の裏面及び裏蓋５の表面とほぼ同一平面となるように、ケース２の裏面と裏蓋５にそれぞれ埋設されている。
【００１８】
一方本体１のケース２上部には、照明手段８と紐状物９を通すための孔２ａが設けられ、ケース２の一方の側面には、スイッチ手段１０が設けられている。
照明手段８は、円弧状に湾曲されたケース２の上部中央に設けられていて、図４に示すようにほぼ円筒状の回転筒８ａを有している。
回転筒８ａの両端面には、中心部に支軸８ｂが水平方向に突設されていて、これら支軸８ｂはケース２内に形成された隔壁２ｂに回動自在に支承されている。
回転筒８ａの内部は、ほぼ中央部に設けられた反射板１３により上室８ｃと下室８ｄに２分割されていて、反射板１３より上側の上室８ｃを覆うように半円筒状のレンズ１４が嵌着されており、反射板１３より下側の下室８ｄには、発光部が反射板１３の上面に露出するように発光ダイオード（ＬＥＤ）よりなる光源１５が複数個、例えば３個設けられている。
回転筒８ａの一方の端面から突設された支軸８ｂの先端には、導電手段１６を形成する歯車状のスリップリング１６ａが形成されている。
【００１９】
導電手段１６は、回転筒８ａをほぼ１８０度回動した際にも光源１５へ電気が供給できるようにするもので、スリップリング１６ａを歯車状とすることにより回転筒８ａを回動した際クリック感が得られるようになっており、スリップリング１６ａには、一対の接片１６ｂ、１６ｃの先端が両側から圧接されている。
各接片１６ｂ、１６ｃの基端部側は、ビス等の固着具１７によりケースの２の内側に固着されていて、これら各接片１６ｂ、１６ｃの一方介して電池６の一方の電極と光源１５が図示しないリード線により接続され、電池６の他方の電極は、スイッチ手段１０及び各接片１６ｂ、１６ｃの他方を介して光源１５に接続されている。
スイッチ手段１０は例えば押しボタンスイッチにより形成されていて、図４に示すように回転筒８ａの下方に設置されており、ケース２の側面に出没自在に突出された押しボタン１０ａの押圧を繰り返すことにより、光源１５をオン、オフ（点滅）できるようになっている。
【００２０】
次に前記構成された懐中電灯の作用を説明する。
看護師等が懐中電灯を携帯する際誤って落としたりしないように、予めケース２の上部に形成された孔２ａに紐状物９を挿通し、紐状物９を首に掛けてて使用するが、勿論紐状物９を付けずに使用することも可能である。
看護師等が夜間の消灯後に病室を巡回したり、患者から呼び出しがあって病室へ行く場合は、スイッチ手段１０をオンにして光源１５を点灯させた状態の本体１を手に持って光の方向をコントロールし、必要以外の場所は照明しないようにする。
次に患者の様子を見たり脈や体温等を測定する場合は、クリップ３を使用して本体１をポケットの上縁等に固定し、次に回転筒８ａを指で回転させてレンズ１４を希望する方向へ向ける。
このとき光源１５より発せられた光は、レンズ１４により集光されて周囲へ拡散することがないので、希望する場所（個所）へのみ照明することができるようになり、これによって他の患者の睡眠を妨げることなく患者の様子を見たり、脈や体温等の測定、点滴の交換等の作業が短時間で行えるようになる。
【００２１】
またベッドに寝たきりの患者を抱き起こして様子を見たり、体の向きを変える等の作業を行う場合は、近くの壁やロッカー等の備品に磁石７を吸着させて本体１を固定し、回転筒８ａをほぼ１８０度回転させて、光の方向を希望する方向へ向ける。
これによって本体１が邪魔になったり、本体１が患者に接触することなく患者を抱き起したり、体の向きを変える等の作業が行えるようになる。
さらに患者の様子や、脈拍数、体温等を記録する場合も本体１をクリップ３でポケットに固定したり、磁石で壁や備品等に固定することにより、両手を使って脈拍数や体温等の記録、点滴の交換等の作業が消灯後の病室でも容易かつ迅速に行えるようになる。
【００２２】
なお前記実施の形態では、固定手段７に磁石を使用したが、マジックテープ（登録商標）等の面状ファスナーを使用して本体１を壁や備品等に固定するようにしてもよい。
また看護師が使用する懐中電灯のみに限定されるものではなく、作業者が暗所で作業する際に使用しても勿論よい。
【図面の簡単な説明】
【００２３】
【図１】本考案の実施の形態になる懐中電灯の前面側の斜視図である。
【図２】本考案の実施の形態になる懐中電灯の背面側の斜視図である。
【図３】本考案の実施の形態になる懐中電灯の裏蓋を外した状態の斜視図である。
【図４】本考案の実施の形態になる懐中電灯の要部の一部切欠斜視図である。
【符号の説明】
【００２４】
１    本体
２    ケース
３    クリップ
６    電池
７    固定手段
８    照明手段
８ａ    回転筒
９    紐状物
１０    スイッチ手段
１４    レンズ
１５    光源
【図１】
0003133833.tif 000003
【図２】
0003133833.tif 000004
【図３】
0003133833.tif 000005
【図４】
0003133833.tif 000006